(57)【要約】【課題】  多数枚の文書を綴じ込んだ状態で、その中間部に新たな文書を綴じ込んだり、中間部にある文書を取り外したりすることが容易にできるように、用紙に切欠部及びパンチ孔を形成できるファイリング用穿孔具を提供する。  【解決手段】  可動部１は、用紙の側端部に開口する複数の切欠部形成刃３と、丸形で小径のパンチ孔形成刃４とを有している。また、刃受部２は、切欠部形成刃３とパンチ孔形成刃４とを、それぞれ貫通させて収容する貫通孔５，６を有している。そして、可動部１と刃受部２とを対向させて配置し、それらの間に用紙の側端部を挟んだ状態で可動部１を降下させ、切欠部形成刃３，パンチ孔形成刃４を貫通孔５，６に貫通させることにより、用紙の側端部に綴じ込み用の切欠部、及びファイリング用具固定用のパンチ孔を形成する。【選択図】        図１
0003141354.tif 000002
【実用新案登録請求の範囲】
【請求項１】
穿孔対象である紙葉類の厚み方向に突出し、紙葉類の側端部に、端縁に開口する切欠部を形成する複数の切欠部形成刃と、丸形で小径のパンチ孔を形成するパンチ孔形成刃と、前記切欠部形成刃及びパンチ孔形成刃をそれぞれ貫通させて収容する貫通孔とを備え、
前記切欠部形成刃及びパンチ孔形成刃と貫通孔との間に紙葉類の側端部を挟んだ状態で前記切欠部形成刃及びパンチ孔形成刃を貫通孔に貫通させることにより前記紙葉類の側端部に綴じ込み用の切欠部及びパンチ孔を形成することを特徴とするファイリング用穿孔具。
【請求項２】
前記切欠部形成刃は、細長のＵ字状をしていることを特徴とする請求項１に記載のファイリング用穿孔具。
【請求項３】
前記切欠部形成刃は、開口部が外側に拡開していることを特徴とする請求項１又は２に記載のファイリング用穿孔具。
【請求項４】
前記切欠部形成刃に対応する貫通孔の内部に、バネにより貫通孔から突出可能な突起を設けたことを特徴とする請求項１，２又は３に記載のファイリング用穿孔具。
【考案の詳細な説明】
【技術分野】
【０００１】
本考案は、文書等、情報を記録した複数枚の紙葉類をファイルに綴じ込んで整理・保管するために、紙葉類に切欠部やパンチ孔を設けるためのファイリング用穿孔具に関するものである。
【背景技術】
【０００２】
文書等を綴じ込んで整理・保管するため、従来から、例えば、特許文献１に示されるように、用紙に複数のパンチ孔をあけて、ファイルの綴じ板に取り付けられた綴じ桿をそれに通すことにより、複数枚の用紙を綴じ込むようにしたものがよく知られている。
【０００３】
従来の典型的なファイリング方式を図８に示す。図８に示すように、用紙２３に複数のパンチ孔２４，２４をあけて、それに綴じ板２１に取り付けられた綴じ桿２２，２２を通すことにより、複数枚の用紙を綴じ込むようにしている。
【０００４】
その際、パンチ孔２４，２４は、用紙２３の厚み方向に突出する穿孔用の刃と、該刃を貫通させて収容する貫通孔とを有する穿孔具を用い、穿孔用の刃と貫通孔との間に用紙を挟んだ状態で、穿孔用の刃を貫通孔に貫通させることにより形成していた。このような穿孔具及びファイリング用具を用いれば、多数の文書を整理して保管することができる。
【特許文献１】特開２０００−１０８５６９号公報
【考案の開示】
【考案が解決しようとする課題】
【０００５】
しかしながら、上記従来のファイリング方式には、多数枚の文書をファイルに綴じ込んだ状態で、その中間部に新たな文書を綴じ込もうとしたとき、綴じ込もうとしている位置より上側にある全文書を一旦取り外した後、新たな文書を差し込み、さらに、取り外した文書を元に戻すという、大変面倒な作業が必要になるという問題点があった。また、多数枚の文書を綴じ込んだ状態で、その中間部にある文書を取り外そうとしたときも同様に、面倒な作業が必要になるという問題点があった。
【０００６】
本考案は、そのような問題点に鑑み、多数枚の文書をファイルに綴じ込んだ状態で、その中間部に新たな文書を綴じ込んだり、中間部にある文書を取り外したりすることが容易にできるように、用紙に切欠部及びパンチ孔を形成できるファイリング用穿孔具を提供することを目的とするものである。
【課題を解決するための手段】
【０００７】
前記課題を解決するため、本願の請求項１にかかる考案は、穿孔対象である紙葉類の厚み方向に突出し、紙葉類の側端部に、端縁に開口する切欠部を形成する複数の切欠部形成刃と、丸形で小径のパンチ孔を形成するパンチ孔形成刃と、前記切欠部形成刃及びパンチ孔形成刃をそれぞれ貫通させて収容する貫通孔とを備え、前記切欠部形成刃及びパンチ孔形成刃と貫通孔との間に紙葉類の側端部を挟んだ状態で前記切欠部形成刃及びパンチ孔形成刃を貫通孔に貫通させることにより前記紙葉類の側端部に綴じ込み用の切欠部及びパンチ孔を形成することを特徴とする。
【０００８】
また、本願の請求項２にかかる考案は、請求項１にかかる考案において、前記切欠部形成刃は、細長のＵ字状をしていることを特徴とする。
【０００９】
また、本願の請求項３にかかる考案は、請求項１又は２にかかる考案において、前記切欠部形成刃は、開口部が外側に拡開していることを特徴とする。
【００１０】
また、本願の請求項４にかかる考案は、請求項１，２又は３にかかる考案において、前記切欠部形成刃に対応する貫通孔の内部に、バネにより貫通孔から突出可能な突起を設けたことを特徴とする。
【考案の効果】
【００１１】
本考案のファイリング用穿孔具は、次のような効果を奏する。
【００１２】
すなわち、請求項１にかかる考案においては、穿孔対象である紙葉類の厚み方向に突出し、紙葉類の側端部に、端縁に開口する切欠部を形成する複数の切欠部形成刃と、丸形で小径のパンチ孔を形成するパンチ孔形成刃と、前記切欠部形成刃及びパンチ孔形成刃をそれぞれ貫通させて収容する貫通孔とを備え、前記切欠部形成刃及びパンチ孔形成刃と貫通孔との間に紙葉類の側端部を挟んだ状態で前記切欠部形成刃及びパンチ孔形成刃を貫通孔に貫通させることにより前記紙葉類の側端部に綴じ込み用の切欠部及びパンチ孔を形成するようにした。その結果、多数枚の文書をファイルに綴じ込んだ状態で、その中間部に新たな文書を綴じ込んだり、中間部にある文書を取り外したりすることが容易にできるように設ける切欠部及びパンチ孔を、用紙等の紙葉類に簡単に形成できる。
【００１３】
また、請求項２にかかる考案においては、請求項１にかかるファイリング用穿孔具において、切欠部形成刃として、細長のＵ字状をした刃を用いるようにしたので、ファイルの綴じ桿の径に対応した一定幅の切欠部が形成できる。
【００１４】
また、請求項３にかかる考案においては、請求項１又は２にかかるファイリング用穿孔具において、切欠部形成刃の開口部を外側に拡開させたので、切欠部の開口部角部が斜めに切り取られて、ファイルの綴じ桿へ挿入しやすくなる。
【００１５】
また、請求項４にかかる考案においては、請求項１，２又は３にかかるファイリング用穿孔具において、前記切欠部形成刃に対応する貫通孔の内部に、バネにより貫通孔から突出可能な突起を設けたので、従来の、予めパンチ孔が設けられた用紙を利用する場合に、用紙を当該穿孔具に差し込んだ際に、前記突起が用紙に設けられているパンチ孔に嵌り込むことにより、用紙の位置決めが可能になる。
【考案を実施するための最良の形態】
【００１６】
以下、本考案の実施例を図面に基づいて詳細に説明する。
【実施例１】
【００１７】
多数枚の文書を綴じ込んだ状態で、その中間部に新たな文書を綴じ込んだり、中間部にある文書を取り外したりすることが容易にできるようにするため、本考案のファイリング用穿孔具では、図５に示すように、用紙１１に、側端縁から対向縁側に延びる複数の切欠部１２と、該切欠部１２の近傍に小径のパンチ孔１３をワンタッチで形成できるようにした。用紙１１には、ファイルの綴じ桿２２の直径よりやや大きい幅の切欠部１２が、綴じ桿２２，２２と同じ間隔で形成され、さらに、その周辺部に小径のパンチ孔１３が複数形成される。
【００１８】
図１は、本考案のファイリング用穿孔具の可動部と刃受部の一例を示す図であり、図２は、本考案のファイリング用穿孔具の側面図である。図１，図２において、１は可動部、２は刃受部、３は切欠部形成刃、４はパンチ孔形成刃、５は切欠部形成刃を受ける貫通孔、６はパンチ孔形成刃を受ける貫通孔、７は基台、８は押圧レバー、９は押圧棒、１０は用紙位置決め部である。
【００１９】
可動部１は、用紙１１の側端部に開口する切欠部１２を形成するための複数の切欠部形成刃３と、丸形で小径のパンチ孔１３を形成するためのパンチ孔形成刃４とを有している。また、刃受部２は、上記切欠部形成刃３とパンチ孔形成刃４を、それぞれ貫通させて収容する貫通孔５，６を有している。
【００２０】
切欠部形成刃３は、図３（イ）に側面図、図３（ロ）に正面図、図３（ハ）にＸ−Ｘ断面図を示すように、全体が細長のＵ字状をしており、その開口部が外側に拡開していて、外縁が尖った刃になっている。また、パンチ孔形成刃４は、図４に示すように、通常の穿孔具の刃と同様に、断面円形で先端部に二つに割れた刃を持っている。
【００２１】
そのようなファイリング用穿孔具の基台７の上に用紙１１を置き、その側端が用紙位置決め部１０に突き当たるまで差し込み、押圧レバー８を押し下げると、押圧棒９により可動部１から用紙１１の厚み方向に突出する切欠部形成刃３とパンチ孔形成刃４が用紙１１を突き抜けて、それぞれ貫通孔５，６の中に嵌合され、それと同時に、用紙１１に、切欠部１２とパンチ孔１３が形成される。
【００２２】
なお、切欠部形成刃３と用紙位置決め部１０とは、用紙１１の側端が図１の一点鎖線Ｐになるような位置関係にする。そのようにすれば、切欠部形成刃３の外側に拡開している部分が用紙１１の端縁に位置することになり、切欠部１２の開口部角部が斜めに切り取られて、ファイルの綴じ桿２２を挿入しやすくなる。
【００２３】
また、切欠部形成刃３に対応する貫通孔５の内部に、バネにより貫通孔５から頭部が突出可能な突起を設けてもよい。そのようにすれば、従来の、予めパンチ孔が設けられた用紙を利用する場合に、ファイリング用穿孔具の基台７の上に用紙を置いて、切欠部形成刃３，パンチ孔形成刃４と、貫通孔５，６の間に差し込んだ際に、前記突起が用紙に設けられているパンチ孔に嵌り込むことにより、用紙の位置決めが可能になる。その状態で、押圧レバー８を押し下げると、切欠部形成刃３とパンチ孔形成刃４が用紙のパンチ孔を突き抜けて、それぞれ貫通孔５，６の中に嵌合され、それと同時に、用紙のパンチ孔が明けられていた位置に切欠部１２が形成され、その近傍にパンチ孔１３が形成される。一方、パンチ孔が設けられていない通常の用紙を用いる場合は、上記突起は、用紙に押さえられて貫通孔５の中に収まったままになるので、用紙位置決め部１０等により位置決めされる。
【００２４】
そのような用紙１１を、図６に示すように、ファイリング用具１４に綴じ込んだ状態で、ファイルの綴じ桿２２に対して、図中矢印方向に差し込むことにより、ファイルに取り付ける。ファイリング用具１４は、図７に示すような構造になっている。図７（イ）は、正面から見た図、図７（ロ）は、図７（イ）の右方から見た図、図７（ハ）は、図７（イ）の上方から見た図であり、図７（ニ）は、図７（ロ）の円で囲った部分を拡大した図である。
【００２５】
ファイリング用具１４は、プラスチック等、変形可能な材料よりなる板状体を二つ折りした形状をしており、その折曲部１９の外面に開口する形で、折曲部１９の外面から他方に向かって、用紙１１の切欠部１２と同幅の挿入部１５を形成し、その中間部に、係止凸部１６を設けている。それらの係止凸部１６は、ファイリング用具１４をファイルの綴じ桿２２に差し込んだとき、綴じ桿２２から抜け落ちないように、綴じ桿２２に係止させるためのものであり、通常は、図７（イ）中、挿入部１５の最奥部Ａにおいて綴じ桿２２に係止させる。一方、図７（イ）中、挿入部１５の中間部Ｂにおいて綴じ桿２２に係止させることもでき、その状態にすれば、他の文書と一緒にファイルに綴じ込んだ際に、当該ファイリング用具１４に綴じ込んだ用紙１１のみが文書端部から突き出るようになって、他の文書と区別し易くなる。
【００２６】
また、ファイリング用具１４の二つ折りした内面の、用紙１１に設けたパンチ孔と対向する位置に係合突起１７と係合受部１８を設けている。係合受部１８は、係合突起１７と係合可能になっており、用紙１１をファイリング用具１４に綴じ込む際に、用紙１１のパンチ孔１３に係合突起１７を通した後、係合受部１８と係合させる。そのようにして、ファイリング用具１４と用紙１１とを一体化させる。なお、ファイリング用具１４に綴じ込む用紙１１の枚数は、１枚でもよいし、複数枚でもよいが、複数枚ある文書をファイリング用具１４に綴じ込めば、ファイルに綴じ込まない状態でも、一つの文書として取り扱えるようになる。
【００２７】
なお、上記実施例では、用紙に切欠部とパンチ孔を設ける場合で説明したが、本発明考案は、用紙に限らず、プラスチックシートやカード等、その他の紙葉類にも適用できる。
【図面の簡単な説明】
【００２８】
【図１】本考案のファイリング用穿孔具の可動部と刃受部の刃の一例を示す図である。
【図２】本考案のファイリング用穿孔具の側面図である。
【図３】本考案のファイリング用穿孔具の切欠部形成刃の一例を示す図である。
【図４】本考案のファイリング用穿孔具のパンチ孔形成刃の一例を示す図である。
【図５】本考案のファイリング用穿孔具により切欠部及びパンチ孔を形成した用紙を示す図である。
【図６】図５の用紙にファイリング用具を装着した状態を示す図である。
【図７】ファイリング用具の一例を示す図である。
【図８】従来のファイリング方式を示す図である。
【符号の説明】
【００２９】
１…可動部
２…刃受部
３…切欠部形成刃
４…パンチ孔形成刃
５…切欠部形成刃受口
６…パンチ孔形成刃受口
７…基台
８…押圧レバー
９…押圧棒
１０…用紙位置決め部
１１…用紙
１２…切欠部
１３…パンチ孔
１４…ファイリング用具
１５…挿入部
１６…係止凸部
１７…係合突起
１８…係合受部
１９…折曲部
【図１】
0003141354.tif 000003
【図２】
0003141354.tif 000004
【図３】
0003141354.tif 000005
【図４】
0003141354.tif 000006
【図５】
0003141354.tif 000007
【図６】
0003141354.tif 000008
【図７】
0003141354.tif 000009
【図８】
0003141354.tif 000010